(57)【要約】【課題】超音波振動子を用いて水素殺菌水をミスト状に噴出して美容に役立てる携帯用装置を提供する。【解決手段】原水流入口を有する上部容器と、滅菌水排出口を側面に有する下部容器と、一対の電極板を介して原水を水中放電させて殺菌水を生成する極板ユニットと、を備えてなる。この場合、極板ユニットの電極板は、垂直に装着されて殺菌水排出口と平行に位置するように構成される。これにより、ミスト排出効率を向上させることができ、電極板の一端から延在する電極接続端子を、一々折り曲げることなく下側に配置されるバッテリーと容易に接続することができる。したがって、電極接続端子を折り曲げる作業にかかるコストを削減することができ、且つ、規格化された製品の生産をより容易に行うことができる。【選択図】  図２
2020110570.tif 000002
【特許請求の範囲】
【請求項１】
原水流入口を有する上部容器と、滅菌水排出口を側面に有する下部容器と、一対の電極板を介して原水を水中放電させて殺菌水を生成する極板ユニットと、を備える殺菌水生成モジュールと；
前記原水流入口と結合可能なストッパハウジングと；
前記殺菌水排出口に設けられ、超音波振動子を用いて殺菌水をミスト状に外部に排出する噴射部と；
前記極板ユニット及び超音波振動子に電源を供給する電源供給部と；を備え、
前記下部容器には、前記極板ユニットを着脱できる極板ユニット着脱溝が設けられ、前記極板ユニット着脱溝は、前記電極板が垂直に装着され、前記殺菌水排出口と平行に位置するように構成されることを特徴とする携帯用美容水素殺菌水ミスト装置。
【請求項２】
前記上部容器を取り囲む上部ハウジングと、
前記下部容器及び電源部を取り囲む中下部ハウジングと、をさらに備え、
前記電源供給部は、前記下部容器の下に位置することを特徴とする、請求項１に記載の携帯用美容水素殺菌水ミスト装置。
【請求項３】
前記極板ユニットは、前記一対の電極板と、各電極板の間に配置される分離板と、を備え、
前記極板ユニット着脱溝は、前記極板ユニット単位で着脱可能に構成されることを特徴とする請求項１に記載の携帯用美容水素殺菌水ミスト装置。
【請求項４】
前記極板ユニット着脱溝としては、前記一対の電極板をなす二つの電極板をそれぞれ個別に着脱できる二つの溝を備え、
前記二つの溝の間には、二つの電極板の物理的な接触を防止する分離板が形成されていることを特徴とする請求項１に記載の携帯用美容水素殺菌水ミスト装置。
【請求項５】
前記各電極板は、各電極板の下端から縦方向に所定の長さだけ延長突出された電極接続端子を有することを特徴とする請求項１に記載の携帯用美容水素殺菌水ミスト装置。
【請求項６】
前記下部容器の下端には、前記極板ユニット着脱溝を介して装着される各電極板の電極接続端子を通過させるための電極接続端子貫通孔が形成されていることを特徴とする請求項５に記載の携帯用美容水素殺菌水ミスト装置。
【請求項７】
前記ストッパハウジングには、ガスを外部に排出するためのガス排出孔が形成され、
前記ガス排出孔は、柔軟な材質の部材により閉塞されており、
前記部材は、ガスの圧力に応じて開閉するように、所定の形状に切開されていることを特徴とする請求項１に記載の携帯用美容水素殺菌水ミスト装置。
【請求項８】
前記ストッパハウジングには、磁石を収納する磁石収納溝が設けられ、
前記ストッパハウジングを覆う蓋体には、前記磁石収納溝に対応する位置にマッサージ効果を与えるためのマッサージ突起が形成されていることを特徴とする請求項１に記載の携帯用美容水素殺菌水ミスト装置。
【発明の詳細な説明】
【技術分野】
【０００１】
本発明は、水素殺菌水をミスト状に供給する装置に係り、さらに詳しくは、超音波振動子を用いて水素殺菌水をミスト状に噴出して美容に役立てる携帯用装置に関する。
【背景技術】
【０００２】
最近、美しい外見を保つために、女性はもとより男性も美容に注意を払っている。一般に、美容には、保湿と栄養供給及び皮膚機能の活性化を助けるコラーゲン、栄養乳液、エッセンスなどの化粧品が多く用いられる。
【０００３】
また、皮膚美容にミスト供給器が使用されており、ミスト供給器は、液状化粧品を細かい微粒子状のミスト（ｍｉｓｔ：液霧）状に噴出する。
【０００４】
ミスト供給器は、保湿、美白効果、栄養供給などの様々な目的に使用可能であり、皮膚乾燥を防ぐための保湿用途に広く使用される。
【０００５】
ミスト供給器としては、手動スプレー式ミスト供給器、据置式で使用するスチーム加熱式ミスト供給器などが挙げられる。
【０００６】
しかしながら、従来の手動スプレー式ミスト供給器は、使用者が一々繰り返しボタンを押して作動させなければならないという不都合がある。また、スチーム加熱式ミスト供給器は、液体を加熱してスチーム式で液体を微粒化して噴射する方式を採用するので、液体を比較的小さく且つ均一な微粒状に噴射することが可能であるという利点はあるが、加熱装置を駆動するためには比較的大きな電力が必要であり、このため、装置の大きさが大きくならざるを得ず、携帯が不可能であるという問題がある。
【０００７】
このような問題を解決するために、下記特許文献１には、超音波振動子を用いる携帯用水分供給器が開示されており、下記特許文献２には、スライド開閉式で自動噴霧可能な携帯用ミスト器が開示されている。
【０００８】
また、下記特許文献３には、使用者の衛生と安全性のために、皮膚に供給される液体を殺菌することができる携帯用美容水素殺菌水ミスト機器が開示されている。
【０００９】
下記特許文献１の携帯用水分供給器及び下記特許文献２の携帯用ミスト器は、従来の液状化粧品や単なる水をミスト状に供給するものであるが、下記特許文献３の携帯用美容水素殺菌水ミスト機器は、皮膚に供給される液体を殺菌して処理することができるので、使用者の衛生と安全性を向上させることができる。
【００１０】
しかし、下記特許文献３の携帯用美容水素殺菌水ミスト機器は、原水を水中放電させて殺菌水を生成する極板ユニットが横方向に配置されているため、空間利用が制限されるという不具合があり、殺菌水を生成する電極板が殺菌水を排出する殺菌水排出口に対して直角に配置されているため、ミスト排出効率が低下してしまうという不具合がある。
【００１１】
また、下記特許文献３の携帯用美容水素殺菌水ミスト機器は、電極接続端子を一々折り曲げて処理する必要があるため、電極接続端子を配置して電源と接続するのが不便であり、電極接続端子を折り曲げるのに時間と労力がかかり、折り曲げ角度が一定していないなど種々の問題が生じるおそれがある。
【先行技術文献】
【特許文献】
【００１２】
【特許文献１】韓国公開特許第１０−２０１０−００５７３３９号
【特許文献２】韓国公開特許第１０−２０１４−０１２３７９６号
【特許文献３】韓国登録特許第１０−１７４７９１３号
【発明の概要】
【発明が解決しようとする課題】
【００１３】
本発明は、上述の問題を解決するために案出されたものであり、その目的は、超音波振動子を用いて水素殺菌水をミスト状に供給することができ、電極板を垂直に配置することにより、内部空間をより効率的に利用することができ、ミスト排出効率を向上させることができる携帯用美容水素殺菌水ミスト装置を提供することである。
【課題を解決するための手段】
【００１４】
上記目的を達成するための本発明に係る携帯用美容水素殺菌水ミスト装置は、原水流入口を有する上部容器と、滅菌水排出口を側面に有する下部容器と、一対の電極板を介して原水を水中放電させて殺菌水を生成する極板ユニットと、を備える殺菌水生成モジュールと；前記原水流入口と結合可能なストッパハウジングと；前記殺菌水排出口に設けられ、超音波振動子を用いて殺菌水をミスト状に外部に排出する噴射部と；前記極板ユニット及び超音波振動子に電源を供給する電源供給部と；を備えてなる。この際、前記下部容器には、前記極板ユニットを着脱できる極板ユニット着脱溝が設けられ、前記極板ユニット着脱溝は、前記電極板が垂直に装着され、前記殺菌水排出口と平行に位置するように構成される。
【００１５】
前記携帯用美容水素殺菌水ミスト装置は、前記上部容器を取り囲む上部ハウジングと、前記下部容器及び電源部を取り囲む中下部ハウジングと、をさらに備えて構成されてもよい。
【００１６】
前記極板ユニットは、前記一対の電極板と、各電極板の間に配置される分離板と、を備えてもよい。この時、前記極板ユニット着脱溝は、前記極板ユニット単位で着脱可能に構成されてもよい。すなわち、一つ以上の極板ユニットは、一つ以上のそれぞれの極板ユニット着脱溝に挿入されてもよい。言い換えると、前記記極板ユニットが二つ以上である場合は、前記極板ユニット着脱溝も2つ以上であってもよい。
【００１７】
前記極板ユニット着脱溝としては、前記一対の電極板をなす二つの電極板をそれぞれ個別に着脱できる二つの溝を備えてもよい。このとき、前記二つの溝の間には、二つの電極板の物理的な接触を防止する分離板が形成される。
【００１８】
前記各電極板は、各電極板の下端から縦方向に所定の長さだけ延長突出された電極接続端子を有してもよい。
【００１９】
前記下部容器の下端には、前記極板ユニット着脱溝を介して装着される各電極板の電極接続端子を通過させるための電極接続端子貫通孔が形成されてもよい。
【００２０】
前記ストッパハウジングには、ガスを外部に排出するためのガス排出孔が形成されてもよく、前記ガス排出孔は、柔軟な材質の部材により閉塞されるように構成されてもよい。
【００２１】
前記部材は、ガスの圧力に応じて開閉するように、前記ガス排出孔に対応する部分で所定の形状に切開されてもよい。
【００２２】
前記ストッパハウジングには、磁石を収納する磁石収納溝が設けられてもよい。このとき、前記ストッパハウジングを覆う蓋体には、前記磁石収納溝に対応する位置にマッサージ効果を与えるためのマッサージ突起が形成されてもよい。
【発明の効果】
【００２３】
本発明によれば、基本的に水素殺菌水を生成し、超音波振動子を用いてミスト状に供給することができる。
【００２４】
特に、原水を水中放電させて殺菌水を生成する極板ユニットを垂直に装着し、殺菌水を排出する殺菌水排出口と平行に配置することにより、内部空間をより効率的に利用することができ、ミスト排出効率を向上させることができる。
【００２５】
また、極板ユニットを垂直に装着すると、電極板の一端から延在する電極接続端子を、一々折り曲げることなく、下側に配置されるバッテリーと容易に接続することができる。
【００２６】
これにより、電極接続端子を折り曲げる作業にかかるコストを削減することができ、且つ、規格化された製品の生産をより容易に行うことができる。
【図面の簡単な説明】
【００２７】
【図１】本発明に係る携帯用美容水素殺菌水ミスト装置の一実施例を示す図である。
【図２】本発明に係る携帯用美容水素殺菌水ミスト装置の外形の具体的な例を示す図である。
【図３】本発明に係る携帯用美容水素殺菌水ミスト装置の内部構成の一実施例を示す図である。
【図４】殺菌水生成モジュールを構成する上部容器及び下部容器の一実施例を示す図である。
【図５】極板ユニットの一実施例を示す図である。
【図６】下部容器に設けられる極板ユニット着脱溝の一実施例を示す図である。
【図７】下部容器に設けられる極板ユニット着脱溝の他の実施例を示す図である
【図８】電極接続端子貫通孔の例を説明する図である。
【図９】電極接続端子を下部容器に装着する例を説明する図である。
【図１０】ストッパハウジングによるガス排出の例を説明する図である。
【図１１】ストッパハウジング及び蓋体に磁石収納溝及びマッサージ突起がそれぞれ設けられる実施例を示す図である。
【発明を実施するための形態】
【００２８】
本発明は、様々な変換を加えてもよく、様々な実施例を有し得る。特定の実施例を図面に例示し、詳細に説明する。しかし、これは、本発明を特定の実施例に対して限定するものではなく、本発明の思想及び技術範囲に含まれるすべての変換、均等物乃至代替物を含むものと理解すべきである。
【００２９】
本発明を説明するにあたり、関連する公知技術に関する具体的な説明が本発明の要旨を曖昧にし得ると判断した場合には、その詳細な説明を省略する。
【００３０】
本願明細書において使用した用語は、単に特定の実施例を説明するために使用されたものであって、本発明を限定する意図はない。単数の表現は、文脈上、明白に異なっていない限り、複数の表現を含む。
【００３１】
本願明細書において、「備える」、「含む」または「有する」などの用語は、明細書上に記載した特徴、数字、段階、動作、構成要素、部品またはこれらを組み合わせたものが存在することを指定するためのものであって、一つまたはそれ以上の異なる特徴や数字、段階、動作、構成要素、部品またはこれらを組み合わせたものなどの存在または付加可能性を予め排除しないと理解すべきである。
【００３２】
本願明細書における「第１」、「第２」などの用語は、様々な構成要素を説明するために使用され得るが、前記構成要素は、前記用語によって限定されてはならない。前記用語は、一つの構成要素を他の構成要素から区別するためにのみ使用される。
【００３３】
図１に示すように、本発明に係る携帯用美容水素殺菌水ミスト装置１００は、美容のために使用する水素殺菌水（水素水および／または殺菌水）をミスト（ｍｉｓｔ）状に供給するものであり、殺菌水生成モジュール２、噴射部３、ストッパハウジング４、および電源供給部６を備えてなる。
【００３４】
殺菌水生成モジュール２は、原水流入口２１１を有する上部容器２１と、殺菌水排出口２２１を側面に有する下部容器２２と、一対の電極板により原水を水中放電させて殺菌水を生成する極板ユニット１と、を備えてなる。
【００３５】
上部容器２１と下部容器２２とは、互いに着脱可能に構成されてもよく、上部容器２１及び下部容器２２の形状、大きさ、材質、着脱構造などは多様に構成されてもよい。互いに結合された上部容器２１及び下部容器２２が形成する内部空間２３０には、原水流入口２１１を通して流入した原水が貯留され、極板ユニット１が配置される。
【００３６】
極板ユニット１は、上部容器２１及び下部容器２２が形成する内部空間２３０に貯留された原水を水中放電させてプラズマイオン状態にする。これにより、様々な陰イオン（Ｏ−、Ｏ３−、ＯＨ−、ＨＯＣｌ、Ｈ２Ｏ２など）が発生し、水中の各種細菌、ウイルス、細菌などが殺菌される。
【００３７】
極板ユニット１は、下部容器２２の内部に設けられた極板ユニット着脱溝を介して垂直に装着される。極板ユニット１が装着されたとき、各電極板の面と殺菌水排出口２２１の面とが互いに平行に位置するので、噴射部３に殺菌水を供給し、ミスト５１の排出効率を向上させることができる。
【００３８】
ストッパハウジング４は、原水流入口２１１と結合可能に構成されてもよく、上部容器２１の上端に位置する。
【００３９】
噴射部３は、殺菌水排出口２２１を通して供給される殺菌水を、超音波振動子を用いてミスト状に外部に排出する。殺菌水排出口２２１は、下部容器の側面に位置し、噴射部３は、下部容器２２の中心軸に対して垂直な方向にミスト５１を噴出するように構成されてもよい。
【００４０】
電源供給部６は、極板ユニット１及び噴射部３に電源を供給し、バッテリーを用いて構成されてもよい。電源供給部６は、必要に応じて多様に配置されてもよい。例えば、電源供給部６は、下部容器２２の下に配置されてもよい。
【００４１】
図２は、携帯用美容水素殺菌水ミスト装置１００の外形の具体的な例を示す図であり、図３は、携帯用美容水素殺菌水ミスト装置１００の内部構成の例を示す分解斜視図であり、図４は、上部容器２１及び下部容器２２の一実施例を示す図である。
【００４２】
図２に示すように、携帯用美容水素殺菌水ミスト装置１００は、上部容器２１を取り囲む上部ハウジング５と、下部容器２２及び電源供給部６を取り囲む中下部ハウジング７と、を備えてなる。
【００４３】
上部ハウジング５は、上部容器２１を取り囲むものであり、上部容器２１を取り囲むものであれば、その形態や材質に特に制限はない。さらに、上部ハウジング５は上部容器２１と一体化されてもよいし、上部ハウジング５を形成せずに上部容器２１が上部ハウジング５の機能を果してもよい。
【００４４】
上部容器２１及び上部ハウジング５が透明であれば、使用者はその内部において生成された殺菌水の生成程度及び形状をリアルタイムで確認することができ、上部容器２１に貯留されている原水の量を容易に確認することができる。したがって、使用者は必要ならば適量の水を交換または補充することができる。
【００４５】
中下部ハウジング７は、ミスト５１が排出されるミスト噴射口３３を開閉するための噴射部開閉部７１を備えてもよい。本実施例では、噴射部開閉部７１は、電源供給部６と連動しており、ミスト噴射口３３を開放することにより、極板ユニット１及び超音波振動子３１に電源を供給するように構成されてもよい。すなわち、噴射部開閉部７１がスイッチとして作動して、噴射部開閉部７１の移動に応じて極板ユニット１及び超音波振動子３１を作動させることができる。
【００４６】
携帯用美容水素殺菌水ミスト装置１００は、電気回路が形成されたＰＣＢモジュール８、水漏れを防止するためのゴムパッキンなどの様々な要素を備えてもよい。
【００４７】
殺菌水生成モジュール２は、上部容器２１と下部容器２２とを備えてなり、下部容器２２の内部に極板ユニット１が着脱可能に装着されてもよい。
【００４８】
上部容器２１は外部から原水が供給される原水流入口２１１を有し、下部容器２２は側面に殺菌水排出口２２１を有し、極板ユニット１は原水を水中放電させて殺菌水を生成する。
【００４９】
原水流入口２１１は、上部容器２１の側面または上面に位置してもよいが、原水を垂直供給するためには上面に位置することが好ましい。
【００５０】
携帯用美容水素殺菌水ミスト装置１００が側面から殺菌水を排出する際に、殺菌水排出口２２１及び噴射部３は、携帯用美容水素殺菌水ミスト装置１００の中心軸に垂直な方向に側面を向くように構成されてもよい。
【００５１】
図５は、極板ユニット１の一実施例を示す図であり、同図に示すように、極板ユニット１は、原水を水中放電させて殺菌水を生成するために、一対の電極板１１、１２を備えて構成されてもよい。
【００５２】
図５の（ａ）は、幅（横の長さ）が高さ（縦の長さ）よりも長い薄板状であり、複数の斜めの溝を有する電極板１１、１２の一例を示している。極板ユニット１としては、当該技術分野で公知の様々な形状のものを用いることができる。
【００５３】
図５の（ｂ）は、電極板と同じ外郭形状、中空の内部空間、及び斜めのスロットを有する分離板１３の例を示している。前記分離板１３は、各電極板１１、１２の間に配置され、各電極板１１、１２の物理的な接触を防止する。
【００５４】
図５は、説明の理解を助けるための一例に過ぎないものであり、電極板１１、１２及び分離板１３の形状は、必要に応じて変更可能である。
【００５５】
各電極板１１、１２に互いに異なる極性の電源を印加するために、各電極板１１、１２は、下端の一部から縦方向に所定の長さだけ延長突出された電極接続端子１１−１、１２−１を有する。
【００５６】
極板ユニット１は、下部容器２２の内部に形成された極板ユニット着脱溝を介して垂直に装着されるので、各電極板１１、１２に形成された電極接続端子１１−１、１２−１を折り曲げることなく、そのまま使用することができる。
【００５７】
図６及び図７は、下部容器２２に設けられる極板ユニット着脱溝の互いに異なる実施例を示している。
【００５８】
図６は、下部容器２２の両側面に沿って一つずつの極板ユニット着脱溝２２４を有する実施例を示している。すなわち、下部容器２２の内部には、両側面の長手方向に沿って垂直に一つずつの極板ユニット着脱溝２２４が形成されている。
【００５９】
このような実施例では、極板ユニット１は、一対の電極板１１、１２と、各電極板の間に配置される分離板１３と、からなる束単位で極板ユニット着脱溝２２４に着脱可能に装着される。すなわち、一対の電極板１１、１２とその間の分離板１３とが、極板ユニット着脱溝２２４に同時に装着または取り外される。
【００６０】
図７は、下部容器２２の両側面に沿って二つずつの極板ユニット着脱溝２２５−１、２２５−２を有する実施例を示している。すなわち、下部容器２２の内部には、両側面の長手方向に沿って垂直に二つずつの極板ユニット着脱溝２２５−１、２２５−２が形成されている。
【００６１】
極板ユニット１の二つの電極板１１、１２は、各極板ユニット着脱溝２２５−１、２２５−２にそれぞれ個別に装着され、二つの極板ユニット着脱溝２２５−１、２２５−２の間には、二つの電極板２２５−１、２２５−２の物理的な接触を防止する分離板２２５−３が形成されている。
【００６２】
このような実施例では、各電極板１１、１２は物理的に分離装着されるので、極板ユニット１の分離板１３は不要である。
【００６３】
図６及び図７の実施例に示すように、極板ユニット１は、下部容器２２の内部に形成された極板ユニット着脱溝を介して装着されており、極板ユニット１を着脱可能にする構造は種々である。
【００６４】
特に、殺菌水排出口２２１は、携帯用美容水素殺菌水ミスト装置１００の側面を向くように構成されてもよい。極板ユニット着脱溝は、極板ユニット１が装着されたとき、各電極板１１、１２の面と殺菌水排出口２２１の面とが互いに平行に位置するように構成される。そのために、極板ユニット着脱溝２２４、２２５−１、２２５−２は、上部容器２１から下部容器２２に向かう垂直方向に形成されてもよい。
【００６５】
図５（ａ）に示すように、各電極接続端子１１−１、１２−１は、横方向及び縦方向（上下左右）に所定の間隔をあけて配置されている。
【００６６】
図８及び図９に示すように、下部容器２２の下端には、極板ユニット着脱溝を介して装着される各電極板１１、１２の電極接続端子１１−１、１２−１を通過させるための電極接続端子貫通孔２２７−１、２２７−２が形成される。
【００６７】
極板ユニット１は、下部容器２２の上端から極板ユニット着脱溝（２２４、または２２５−１及び２２５−２）に挿入され始め、各電極接続端子１１−１、１２−１は、下部容器２２の下端に設けられた電極接続端子貫通孔２２７−１、２２７−２を通過して装着される。
【００６８】
電極接続端子貫通孔２２７−１、２２７−２を通過して装着された各電極接続端子１１−１、１２−１は、電源供給部６に接続される。
【００６９】
このとき、下部容器２２は、上部容器２１と共に原水を貯留するための空間を形成するので、原水の漏洩を防止するために密閉される。このため、電極接続端子１１−１、１２−１が貫通した電極接続端子貫通孔２２７−１、２２７−２及びその周囲は、ゴムなどの材質で封止され、エポキシなどの素材で防水処理されてもよい。
【００７０】
極板ユニット１の各電極板１１、１２に電源が供給されると、各電極板１１、１２と接触した原水は殺菌水に変換される。
【００７１】
超音波振動子３１を用いて殺菌水をミスト状に供給するためには、電極板１１、１２を原水に接触させ、さらに殺菌水を超音波振動子３１に接触させる必要がある。
【００７２】
下部容器２２は、殺菌水排出口２２１を介して噴射部３の超音波振動子３１と連通する。殺菌水は、別の吸入管に吸入されて外部に排出されるのではなく、重力により自然に、下部容器２２の側面に形成された殺菌水排出口２２１に供給され、噴射部３の超音波振動子３１に供給されてもよい。
【００７３】
噴射部３は、超音波振動子３１を備えてなり、下部容器２２の殺菌水排出口２２１に取り付けられた超音波振動子３１を用いて殺菌水をミスト状にして外部に排出することができる。
【００７４】
超音波振動子３１は、下部容器２２から殺菌水をすぐに噴射し、且つ、最密構造を有するために、殺菌水排出口２２１に密着して取り付けられることが好ましい。超音波振動子３１は、殺菌水を噴射するための多数の噴射孔を有してもよく、当該技術分野で公知のあらゆる形態を取ることができる。
【００７５】
図１に示すように、ミストは、携帯用美容水素殺菌水ミスト装置１００の側面に垂直な方向に噴出されてもよい。
【００７６】
電源供給部６は、極板ユニット１及び超音波振動子３１に電源を供給するものであり、様々な位置に配置されてもよい。具体例として、電源供給部６は、下部容器２２の下に配置されてもよい。
【００７７】
電源供給部６は、バッテリーで構成されてもよい。バッテリーは、使い捨てまたは充電式であってもよく、有線または無線で充電されてもよい。また、電源供給部６は、外部からの電源供給を受けることができるＵＳＢ端子などを備えていてもよい。
【００７８】
電源供給部６は、極板ユニット１と超音波振動子３１とに選択的に電源を供給して作動させることができる。
【００７９】
中下部ハウジング７は、下部容器２２及び電源供給部６を取り囲み、その形態及び材質に特に制限はなく、透明または不透明な材質で作られてもよい。また、中下部ハウジング７は、上部ハウジング５と一体に形成されてもよい。
【００８０】
ストッパハウジング４は、上部容器２１の原水流入口２１１と結合可能に構成されてもよい。ストッパハウジング４は、原水流入口２１１を覆う蓋体またはストッパーとして機能することができ、原水流入口２１１に着脱自在に構成されてもよい。
【００８１】
図１０は、ストッパハウジング４の縦断面図である。ストッパハウジング４は、上部容器２１から上昇するガスを外部に排出するためのガス排出孔４１−１、４１−２を有してもよい。殺菌水の漏洩を防止するために、ガス排出孔４１−１、４１−２をゴム等の柔軟な材質の部材４３で塞いでもよい。
【００８２】
ガス排出孔閉塞部材４３は、水の排出は遮断し、ガス圧に応じて開閉するように構成されてもよい。
【００８３】
例えば、ガス排出孔閉塞部材４３は、ガス排出孔に対応する部分で十字状などの所定の形状に切開されてもよい。
【００８４】
その後、ガス圧力が十字状の切開部分を開放させるほど高くなるに応じて、当該切開部分が開いてガスが外部に排出される。
【００８５】
ガスが適切に排出されると、超音波振動子３１を用いて殺菌水を円滑に排出し続けることができる。
【００８６】
ストッパハウジング４には、蓋体４１０が着脱可能に装着される。ストッパハウジング４を覆う蓋体４１０は、ストッパハウジング４のガス排出孔４１−２と連通するガス排出孔４１１を備えて構成されてもよい。
【００８７】
図１１に示すように、ストッパハウジング４には、磁石を収納する磁石収納溝４５が設けられてもよく、ストッパハウジング４を覆う蓋体４１０には、マッサージ効果を与えるためのマッサージ突起４１３が形成されてもよい。
【００８８】
磁力は、皮膚美容を助けることができ、マッサージ突起４１３を利用したマッサージを通じて皮膚に適度な刺激を与えることにより、美容効果を高めることができる。
【００８９】
マッサージ突起４１３を磁石収納溝４５と対応する位置に設けた場合、磁力による刺激とマッサージによる刺激とをより効率的に提供することができる。しかし、マッサージ突起４１３の位置、大きさ、個数、形状等は、必要に応じて変更可能であり、特に限定されるものではない。
【００９０】
以上、本発明を特定の好ましい実施例に関連して図示して説明したが、以下の特許請求範囲によって用意される本発明の技術的特徴や分野を逸脱しない限度内で本発明が多様に改造及び変化できることは、当業界において通常の知識を有する者にとっては明らかである。
【符号の説明】
【００９１】
１  極板ユニット
１１、１２  電極板
１１−１、１２−１  電極接続端子
１３  分離板
２  殺菌水生成モジュール
２１  上部容器
２２  下部容器
２１１  原水流入口
２２１  殺菌水排出口
２２４、２２５−１、２２５−２  極板ユニット着脱溝
２２５−３  分離板
２２７−１、２２７−２  電極接続端子貫通孔
３  噴射部
３１  超音波振動子
４  ストッパハウジング
４１−１、４１−２、４１１  ガス排出孔
４５  マグネット収納溝
４１０  蓋体
４１３  マッサージ突起
５  上部ハウジング
６  電源供給部
７  中下部ハウジング
７１  噴射部開閉部
【図１】
2020110570.tif 000003
【図２】
2020110570.tif 000004
【図３】
2020110570.tif 000005
【図４】
2020110570.tif 000006
【図５】
2020110570.tif 000007
【図６】
2020110570.tif 000008
【図７】
2020110570.tif 000009
【図８】
2020110570.tif 000010
【図９】
2020110570.tif 000011
【図１０】
2020110570.tif 000012
【図１１】
2020110570.tif 000013